(57)【要約】【課題】  現に使用されている特徴的なマークを活用して印刷表示することにより、封緘テープを見ただけで一見して生産者や販売者等の商品提供者の識別と認識を可能なものとし、購買者が安全な商品として安心して購入することができるようにした容器封緘テープの提供。【解決手段】  容器本体１と蓋体２とがその一側部でヒンジ部３を介して折重ね自在に一体的に連結されている樹脂シート製包装容器において、容器本体１と蓋体２との遊端側の重合接合縁４ａ，４ｂどうしを外側から断面Ｕの字状に包み込んで接着して封緘させるため、背面側に予め接着剤を塗布させてある封緘テープ５であって、該封緘テープ５の表面側か、表面から透視可能に背面側に、被包装物の生産者・販売者または取り扱い業者若しくは内容物補償責任者等を表示する特定の小形マークＭを連続表示してある構成とする。【選択図】図１
0003156631.tif 000002
【実用新案登録請求の範囲】
【請求項１】
容器本体(1)と蓋体(2)とがその一側部でヒンジ部(3)を介して折重ね自在に一体的に連結されている樹脂シート製包装容器において、容器本体(1)と蓋体(2)との遊端側の重合接合縁(4a，4b)どうしを外側から断面Ｕの字状に包み込んで接着して封緘させるため、背面側に予め接着剤を塗布させてある封緘テープ(5)であって、該封緘テープ(5)の表面側か、表面から透視可能に背面側に、被包装物の生産者・販売者または取り扱い業者若しくは内容物補償責任者等を表示する特定の小形マーク(M)を連続表示してある包装容器用封緘テープ。
【考案の詳細な説明】
【技術分野】
【０００１】
本考案は、容器本体と蓋体とがその一側部でヒンジ部を介して折り畳み自在に一体的に連結形成してある包装容器の重合接合縁どうしを封緘するために使用する薄いフィルム状の封緘テープに関するものである。
【背景技術】
【０００２】
従来から、この種の包装容器用封緘テープは、例えば容器内に鶏卵等の内容物を収納した後に、容器本体と蓋体との遊端側の接合縁どうしを封緘するための手段の一つとして、背面側に接着剤を塗布した封緘テープが使用されている。また、このテープの接着封緘は機械装置によって自動的に封緘される手段がとられている。
【０００３】
このテープは、容器の接合縁のみに接着されるのではなく、容器の長手方向の一端側、通常は両端側に突出する摘み部分＝耳部を一体的に形成してあり、開封時にはこの耳部を指先で摘んで手前側方向に引きながら、引き剥がし方向に引張って剥離しつつ除去して開封するようにしてある。
【０００４】
他方、従来のこの種の封緘テープは、無着色透明または単一色に着色された無地のものや特段の意味をもたない模様が印刷されたり、例えば「テープのはしをつまみ、手前にゆっくり引いてください」というような注意事項なり取り扱い説明のような印刷をしたものも提案されている。しかしながら、本考案は、テープを見ただけで容器内の包装物がどこの生産者のものか、販売者がどこなのかという情報を、外観的に容易には把握することができないというのが現状である。
【先行技術文献】
【特許文献】
【０００５】
【特許文献１】特公平７−２３１２５号公報
【特許文献２】特許第２７０６９１５号公報
【考案の概要】
【考案が解決しようとする課題】
【０００６】
そこで、本考案は、このような没個性的な封緘テープに個性的な変化を加えたものとするに当たって、生産者や販売者の社名のみを活字印刷するのではなく、生産者や販売者の宣伝に供されていて、現に使用され、周知されている特徴的なマークを活用して印刷表示することにより、容器の封緘テープを見ただけで一見して生産者や販売者等の認識と自他商品の識別を可能なものとし、購買者が安全な商品として安心して購入することができるようにした容器封緘テープの提供を目的とする。
【課題を解決するための手段】
【０００７】
この目的を達成するために本考案では次の技術的手段を講じた。即ち、本考案にかかる包装容器用封緘テープの構成は、容器本体１と蓋体２とがその一側部でヒンジ部３を介して折重ね自在に一体的に連結されている樹脂シート製包装容器において、容器本体１と蓋体２との遊端側の重合接合縁４ａ，４ｂどうしを外側から断面Ｕの字状に包み込んで接着して封緘させるため、背面側に予め接着剤を塗布させてある封緘テープ５であって、該封緘テープ５の表面側か、表面から透視可能に背面側に、被包装物の生産者・販売者または取り扱い業者若しくは内容物補償責任者等を表示する特定の小形マークＭを連続表示してある構成としたものである。
【考案の効果】
【０００８】
本考案はこのような構成としたものであるから、容器内に、例えば鶏卵を包装した容器を外観したとき、封緘テープに印刷された特定の識別表マークによって、購買者は直ちに生産者や販売者等を認識することができ、その表示による生産者や販売者等の信用によって購買者が安心感をもって商品購入ができるという効果を有する。
【図面の簡単な説明】
【０００９】
【図１】本考案の封緘テープの使用状態を示した斜視図。
【図２】図１の左側面図。
【図３】図１の一部切欠平面図。
【図４】図１の封緘テープの拡大平面図。
【図５】他の印刷形態を示す図４相当の平面図。
【考案を実施するための形態】
【００１０】
以下、本考案の実施例を図面に基づいて説明する。この実施例に示した容器Ａは、鶏卵包装容器を対象として、本考案にいう封緘テープ５を使用して封緘した実施例を示したものである。
【００１１】
この実施例に示した鶏卵包装容器Ａは、合成樹脂シート素材を用いて容器本体１と蓋体２とがその一側部においてヒンジ部３を介して折重ね自在に一体的に連結成形した合成樹脂容器である。鶏卵の包装は、該容器Ａの容器本体１に形成された１０個の各卵収容凹部のそれぞれに鶏卵を個別に収納させた後、蓋体２をヒンジ部３から折り曲げて容器本体１の上に折り重ねて、これら容器本体１の遊端側の接合縁４ａと、蓋体２の遊端側の接合縁４ｂとを重合させた状態とし、この重合された上下の接合縁４ａ，４ｂどうしを封緘テープ５によって外側から断面Ｕの字状に包み込み、接着させて封緘させたものである。なお、図１及び図２に示した符号５ａは、容器の開封時に、即ち封緘テープ５の除去時に、指先で摘んで開封し易くするために、容器Ａの外側にまで突出させた摘み部である。
【００１２】  この実施例に示した封緘テープ５は、図４にその拡大平面図を示したように、（公序良俗違反につき、不掲載）特徴マークとして全国で使用され、一般に周知されている、楕円形の中に全農と表示した特徴のある（公序良俗違反につき、不掲載）マークＭを、上下２段に、テープの長手方向に沿って多数連続表示したものである。この上下２段の表示は図１，図３に見られるように、容器への取付け後においても、容器蓋体２の遊端側接合縁４ｂの表面に、はっきりと必ず認識できるようにするためである。このようにすることによって、例えば全農の商品なら安全であると購買者が認識して安心して商品の、ここでは鶏卵の購入ができるようにしたものである。
【００１３】  図５に示した封緘テープ５は、図４に示したのと同じ（公序良俗違反につき、不掲載）マークＭを傾斜状態として、テープ５の幅方向に多数連続表示したものである。このマークＭの表示は、封緘テープ５の幅方向において位置をずらせることなく同形態で印刷されているものとしてもよいが、図５のように、封緘テープ５の幅方向において少しずつまたは適宜量位置をずらせておくことによって、図３のように容器への取付け後において、容器蓋体２の遊端側接合縁４ｂの表面に、認識し易いマークが必ず存在するようにしておくのが好ましい。
【００１４】
以上、本考案の代表的と思われる実施例について説明したが、本考案はこれらに示した特徴マークＭのみに限定されることなく、適宜に異なる表示形態に変えて実施してもよいことはいうまでもない。
【符号の説明】
【００１５】
１  容器本体
２  蓋体
３  ヒンジ部
４ａ  容器本体の接合縁
４ｂ  蓋体の接合縁
５  封緘テープ
【図１】
0003156631.tif 000003
【図２】
0003156631.tif 000004
【図３】
0003156631.tif 000005
【図４】
0003156631.tif 000006
【図５】
0003156631.tif 000007
【手続補正書】
【提出日】平成21年11月6日(2009.11.6)
【手続補正１】
【補正対象書類名】明細書
【補正対象項目名】００１２
【補正方法】変更
【補正の内容】
【００１２】
この実施例に示した封緘テープ５は、図４に示す拡大平面図のように、ここでは出願人が使用する特徴マークＭを、上下２段に、テープの長手方向に沿って多数連続表示したものである。この上下２段の表示は図１，図３に見られるように、容器への取付け後においても、容器蓋体２の遊端側接合縁４ｂの表面に、はっきりと必ず認識できるようにするためである。このようにすることによって、例えばこの生産者の商品なら安全であると購買者が認識して安心して商品の、ここでは鶏卵の購入ができるようにしたものである。
【手続補正２】
【補正対象書類名】明細書
【補正対象項目名】００１３
【補正方法】変更
【補正の内容】
【００１３】
図５に示した封緘テープ５は、図４に示したのと同じ特徴マークＭを傾斜状態として、テープ５の幅方向に多数連続表示したものである。このマークＭの表示は、封緘テープ５の幅方向において位置をずらせることなく同形態で印刷されているものとしてもよいが、図５のように、封緘テープ５の幅方向において少しずつまたは適宜量位置をずらせておくことによって、図３のように容器への取付け後において、容器蓋体２の遊端側接合縁４ｂの表面に、認識し易いマークが必ず存在するようにしておくのが好ましい。
【手続補正３】
【補正対象書類名】図面
【補正対象項目名】図１
【補正方法】変更
【補正の内容】
【図１】
0003156631.tif 000008
【手続補正４】
【補正対象書類名】図面
【補正対象項目名】図３
【補正方法】変更
【補正の内容】
【図３】
0003156631.tif 000009
【手続補正５】
【補正対象書類名】図面
【補正対象項目名】図４
【補正方法】変更
【補正の内容】
【図４】
0003156631.tif 000010
【手続補正６】
【補正対象書類名】図面
【補正対象項目名】図５
【補正方法】変更
【補正の内容】
【図５】
0003156631.tif 000011